(57)【要約】【課題】テープの横断面視において、左縁上面に上接着面が形成され、右縁下面に下接着面が形成されていることにより、建築現場等における塗装作業において養生シートを固定する際等に、接着剤が手に付着することなく、シートを効率よく貼着でき、また、作業終了後においては容易に剥離することができる接着テープを提供すること。【解決手段】テープの横断面視において、左縁上面に上接着面が形成され、右縁下面に下接着面が形成されていることを特徴とする。【選択図】  図１
2005263936.tif 000002
【特許請求の範囲】
【請求項１】
横断面視において、
左縁上面に上接着面が形成され、
右縁下面に下接着面が形成されていることを特徴とする接着テープ。
【請求項２】
前記上接着面と、前記下接着面とは、上面から見て離れていることを特徴とする請求項１記載の接着テープ。
【請求項３】
前記上接着面と、前記下接着面とは、上面から見て重なることを特徴とする請求項１記載の接着テープ。
【請求項４】
前記上接着面の幅は、前記下接着面の幅に比べて小さいことを特徴とする請求項１乃至３のいずれかに記載の接着テープ。
【請求項５】
前記上接着面及び／又は前記下接着面は、複数条から形成されていることを特徴とする請求項１乃至４のいずれかに記載の接着テープ。
【請求項６】
前記上接着面又は前記下接着面のいずれか一方が他方に比べて接着力が弱いことを特徴とする請求項１乃至５のいずれかに記載の接着テープ。
【請求項７】
前記接着テープの基材は透明であることを特徴とする請求項１乃至６のいずれかに記載の接着テープ。
【請求項８】
前記上接着面及び／又は前記下接着面は着色されていることを特徴とする請求項１乃至７のいずれかに記載の接着テープ。
【発明の詳細な説明】
【技術分野】
【０００１】
本発明は、接着テープ、特に、塗装作業時に窓，外壁等の養生に用いる接着テープに関するものである。
【背景技術】
【０００２】
コンクリートを養生する際、養生テープの縁を壁面等に固定して行われている。また、吹き付け等を行う際にも窓ガラス等を同様にマスキングしている。
養生シート等の縁を固定するために用いられるテープとして両面の全面が接着面となっている両面テープが知られている。
【０００３】
【特許文献１】特開平１１−０５７５５６
【発明の開示】
【発明が解決しようとする課題】
【０００４】
しかしながら、従来技術には以下に掲げる問題点があった。
上面及び下面の全面が接着面に形成されているため、テープ自体が壁、ガラス、サッシ等の構造物に完全に付着してしまい、着色作業後テープをはがすのが困難であり、作業に時間がかかっていた。
また、上面及び下面の全面が接着面に形成されているため、端がずれると接着部分が露出し、手に付着してしまうため、作業の効率を悪くしていた。
また、構造物の接着する必要のない部分にまで接着剤が付着してしまっていた。
【０００５】
本発明は上記した従来技術の欠点を除き作業の効率を高めることを目的とする。
【発明の効果】
【０００６】
本発明は、横断面視において、左縁上面に上接着面が形成され、右縁下面に下接着面が形成されていることにより、接着剤が塗布された部分が露出しないため、接着剤が手に付着しないという効果がある。したがってテープを手でしっかり押さえることができるため構造物に固定することができる。
また、上記の構成によりテープの一部は構造物から離れているため、非接着部分を引っ張ることにより容易にはがすことができるという効果がある。
また、接着する必要の無い部分に接着剤が付着しないため、着色作業後の処理が容易となり、かつ、接着剤の無駄を防止できるという効果がある。
【課題を解決するための手段】
【０００７】
この発明の請求項１に記載の発明の要旨は、横断面視において、左縁上面に上接着面が形成され、右縁下面に下接着面が形成されていることを特徴とする接着テープに存する。
この発明の請求項２に記載の発明の要旨は、前記上接着面と、前記下接着面とは、上面から見て離れていることを特徴とする請求項１に記載の接着テープに存する。
この発明の請求項３に記載の発明の要旨は、前記上接着面と、前記下接着面とは、上面から見て重なることを特徴とする請求項１に記載の接着テープに存する。
この発明の請求項４に記載の発明の要旨は、前記上接着面の幅は、前記下接着面の幅に比べて小さいことを特徴とする請求項１乃至３のいずれかに記載の接着テープに存する。
この発明の請求項５に記載の発明の要旨は、前記上接着面及び／又は前記下接着面は、複数条から形成されていることを特徴とする請求項１乃至４のいずれかに記載の接着テープに存する。
この発明の請求項６に記載の発明の要旨は、前記上接着面又は前記下接着面のいずれか一方が他方に比べて接着力が弱いことを特徴とする請求項１乃至５のいずれかに記載の接着テープに存する。
この発明の請求項７に記載の発明の要旨は、前記接着テープの基材は透明であることを特徴とする請求項１乃至６のいずれかに記載の接着テープに存する。
この発明の請求項８に記載の発明の要旨は、前記上接着面及び／又は前記下接着面は着色されていることを特徴とする請求項１乃至７のいずれかに記載の接着テープに存する。
【発明を実施するための最良の形態】
【０００８】
以下、本発明を図面に示す実施例に基づいて説明する。
（第１の実施の形態）
第１の実施の形態に係る図１に示されるように、テープの横断面視において、左縁上面に上接着面Ａ１が形成され、右縁下面に下接着面Ｂ１が形成されている。
このような構成によって、接着剤が手に付着することなく効率よくシートを固定することができ、塗装作業後は簡単にテープをはがすことができる。
直線状態を維持するためテープの基材は伸縮しないものがよく、例えば綿布、化学繊維等で構成された布、不織布が用いられている。
また、テープの基材に弾力性、柔軟性のある材料を用いることにより凹凸のある面にしっかりと接着することができる。
また、テープの基材に透明色の材料を用いることにより接着部と非接着部の境界が容易に判断できるようにしてもよい。
なお、両面の接着料を異なるものにしてもよい。たとえば、下面は接着性の高い接着料を用いることによりコンクリート等の接着しにくい構造物にしっかり固定する必要があるが、養生シート側の上面接着料は接着性が低くても良い場合もあるからである。
また、接着面、非接着面を異なる色にして境界の判断を容易にすることもできる。
テープの厚さを１mm程度とすることにより凹凸のある材料にも接着できる。
また、図７に示すようにテープをロール状に保存することにより作業を早く進められる。
次にこのテープを用いた建築物の壁面塗装におけるマスキング方法を説明する。
テープ使用施工図８〜図１０に示すように、まず、接着テープＨの縁をマスキング境界に設定し、下接着面Ｂ１を建築物Ｆに貼着する。次に上接着面Ａ１を覆うように養生シートＧを設定し、上から手で押さえて固定する。
こうすることにより手に接着剤が付着することなくしっかり押さえることができる。また養生シート側はテープの接着面を覆っていればよいので養生シート側の縁を設定する作業に時間がかからず、作業効率が良くなる。
続いて、塗装を行う。塗装作業後は養生シートとともにテープの下面非接着部Ｄ１を引っ張ることにより、接着テープＨを簡単にはがすことができる。
【０００９】
（第２の実施の形態）
第２の実施の形態に係る図２に示されるように、テープの横断面視において、左縁上面に上接着面Ａ２が形成され、右縁下面に下接着面Ｂ２が形成されている。また、上接着面Ａ２と、下接着面Ｂ２とは、上面から見て離れるように形成されている。
このような構成によって、上非接着面Ｃ２及び下非接着面Ｄ２を剥離しやすい材料で構成することにより剥離テープを用いらずにロール状態で保存することができる。
使用方法は実施の形態１とほぼ同様であるが、剥離テープを用いることなく作業する事ができる。
【００１０】
（第３の実施の形態）
第３の実施の形態に係る図３に示されるように、テープの横断面視において、左縁上面に上接着面Ａ３が形成され、右縁下面に下接着面Ｂ３が形成されている。上接着面Ａ３と、下接着面Ｂ３とは、上面から見て重なるように形成されている。
このような構成によってテープ全体の幅を狭くすることができる。
使用方法は実施の形態１と同様である。
【００１１】
（第４の実施の形態）
第４の実施の形態に係る図４に示されるように、テープの横断面視において、左縁上面に上接着面Ａ４が形成され、右縁下面に下接着面Ｂ４が形成されている。上接着面Ａ４の幅は、下接着面Ｂ４の幅に比べて小さくなるように構成されている。
このような構成によって、たとえば上接着面Ａ４を接着しやすいビニール剤等で構成されたカバーに接着し、下接着面Ｂ４をコンクリート接着しにくい材料で構成された建造物に接着する場合にも対応できる。
使用方法は実施の形態１と同様である。
【００１２】
（第５の実施の形態）
第５の実施の形態に係る図５に示されるように、テープの横断面視において、左縁上面に上接着面Ａ５が形成され、右縁下面に下接着面Ｂ５が形成されている。これらの接着面は複数条から形成されている。
また、建造物側の最も外側の接着部分をテープの端に合わせることによって、着色限界の設定を容易にすることもできる。
このような構成によって、テープがよれてテープ同士が付着してしまった場合でも簡単にはがすことができる。
使用方法は実施の形態１と同様である。
【００１３】
なお、本発明に係る接着テープはロール状、シール状のいずれにも適用でき、ロール状にする場合においては右巻き左巻きの両方に適用可能である。
【００１４】
本実施の形態は上面または下面のどちらかの全面が接着面に形成されている場合にも適用可能である。
【００１５】
また、上記接着部分の左右は逆でもよく、上記方向に限定されない。
【００１６】
なお、上記例ではコンクリート建築物のマスキング処理について説明したが、内壁面、床、天井、自動車の塗装等いずれの箇所にも適用可能であり、木材、布材、金属等のいずれの材料にも適用可能である。また、本願発明は、上記実施の形態に限定されることなく、幅、厚さ、基材の材質等を実施する上で好適なものにすることができる。
なお、上接着面又は下接着面もいずれか一方が他方に比べて接着力を弱くすることもできる。斯かる場合には、建築材側に接着テープがちぎれて残るということがない。また、テープ基材を透明にすることもできる。斯かる場合には特に下接着面の設定が容易となる。
なお、前記上接着面及び／又は前記下接着面は着色されていれば接着面を容易に認識でき、特に上接着面を固定するのが容易となる。さらに、接着面が着色されていて、且つ基材が透明の場合には上接着面も下接着面も設定が容易となる。
【００１７】
また、本発明にかかる接着テープの用途はマスキング処理に限られない。
本発明は、例えば壁等にポスターや印刷物等を貼る際にも適用可能である。本発明に係るテープを用いることによりポスター等の位置の設定が容易であり、簡単に剥がすことができるので作業効率が上がる。
【図面の簡単な説明】
【００１８】
【図１】本発明の第１実施の形態に係る接着テープの斜視図である。
【図２】本発明の第２実施の形態に係る接着テープの斜視図である。
【図３】本発明の第３実施の形態に係る接着テープの斜視図である。
【図４】本発明の第４実施の形態に係る接着テープの斜視図である。
【図５】本発明の第５実施の形態に係る接着テープの斜視図である。
【図６】本発明の第１実施の形態に係る接着テープの断面図である。
【図７】本発明の第１実施の形態に係る接着テープをロール巻きにした場合の斜視図である。
【図８】実施の形態１における接着テープ使用施工図である。
【図９】実施の形態１における接着テープ使用施工図である。
【図１０】実施の形態１における接着テープ使用施工図である。
【符号の説明】
【００１９】
Ａ１〜Ａ５上接着面
Ｂ１〜Ｂ５下接着面
Ｃ１〜Ｃ５上非接着面
Ｄ１〜Ｄ５下非接着面
Ｅ非着色部分（ガラス窓等）
Ｆ建築物
Ｇ養生シート
Ｈ接着テープ
【図１】
2005263936.tif 000003
【図２】
2005263936.tif 000004
【図３】
2005263936.tif 000005
【図４】
2005263936.tif 000006
【図５】
2005263936.tif 000007
【図６】
2005263936.tif 000008
【図７】
2005263936.tif 000009
【図８】
2005263936.tif 000010
【図９】
2005263936.tif 000011
【図１０】
2005263936.tif 000012